(57)【特許請求の範囲】
【請求項１】
内視鏡の送気管路と送水管路の途中に配置された送気送水シリンダと、前記送気送水シリンダに嵌挿され、送気及び送水の切り換えを制御する送気送水切り換え弁とを有し、前記送気送水シリンダに対する送気送水切り換え弁を移動することにより、それぞれ選択される、送気送水待機位置と、上流側の送水管路と下流側の送水管路を連通する送水位置と、上流側の送水管路と下流側の送気管路を連通させる送気管路洗浄位置とを備えた内視鏡の送気送水切り換え装置において、
前記送気送水切り換え弁を前記送気送水位置と前記送気管路洗浄位置とに切り換える切り換え機構を設け、前記切り換え機構は、溝とこの溝に嵌め込まれて案内され前記送気送水切り換え弁の移動を規制する突起部とを有し、
前記送気管路洗浄位置を、前記送気送水待機位置に対して、前記送気送水待機位置から送水位置への前記送気送水切り換え弁の移動する方向とは異なる方向側に設けると共に、
前記溝は前記送気送水待機位置から前記送水位置への前記送気送水切り換え弁の移動を規制する第１溝部と、前記送気管路洗浄待機位置に前記送気送水切り換え弁を位置させる第２溝部と、前記第１溝部と前記第２溝部とを連通して前記第１溝部と前記第２溝部の間に前記突起部を案内する第３溝部とを含む事を特徴とする内視鏡の管路切り換え装置。
【発明の詳細な説明】
【０００１】
【発明の属する技術分野】
本発明は内視鏡の送気管路と送水管路の切り換えを行う送気送水切り換え弁を備えた内視鏡の管路切り換え装置に関する。
【０００２】
【従来の技術】
一般に、内視鏡における挿入部の先端には観察窓が設けられており、その挿入部を体腔内に導入した際、観察窓は体腔内の汚物等で汚れ、正常な観察が妨げられることがある。そこで、前記観察窓の近傍に、ノズルを設け、このノズルから洗浄水を観察窓に吹き付けて観察窓に付着した汚物等を排除し、その後、ノズルから空気を吹き付けることにより前記観察窓に残った洗浄水を吹き飛ばすようにしている。
【０００３】
しかし、前記ノズルは外部に開口しているため、このノズルを通して体液や粘液等が送気管路および送水管路の内部に侵入して管路内を汚すことがある。しかし、送気管路には洗浄水が通らないため、その管路の内部が汚れてもその内部を洗浄することはできなかった。
【０００４】
そこで、特公平３−７１１２７号公報に示すように送気送水切り換え弁を、送水の位置からさらに押し込み、送気送水シリンダからみて上流側の送水管路と下流側の送気管路を連通させ、下流側の送気管路へ洗浄水を送液し、下流側の送気管路の洗浄を可能にした方式が提案されている。
【０００５】
また、特公平２−３５５６７号公報に示すように、通常の送気送水切り換え弁とは別に、送気管路洗浄用の切り換え弁を用意し、これを使用して、少なくとも送気送水シリンダーに対して下流側の送気管路の洗浄及び、上流側の送水管路、及び上流側の送気管路の水切りを行う方式も提案されている。
【０００６】
【発明が解決しようとする課題】
（従来技術の欠点）
特公平３−７１１２７号公報に示すような送気送水切り換え弁では下流側の送気管路を洗浄する場合、その送気送水切り換え弁の洗浄ポジションへの操作方向が、通常の送気及び送水を行う場合の操作方向と同じであるため、切り換え弁を通常の送水ポジションに位置させようとするときに誤って洗浄ポジションまで押し込んで送気管路に水を流してしまうことがあった。一旦、送気管路内に水が入り込むと、その後、対物レンズ面を洗浄する場合、対物レンズ面に送水した後、対物レンズ面上に水が残ったとき、送気管路に空気を送り、水切りを行うが、そのときに、誤操作で送気管路に入った水がノズルから出てきてしまい、なかなか対物レンズ面上の水が排除できないという不都合な事態になり、使用上の問題がある。
【０００７】
なお、誤操作をしないよう、上流側送気管路の洗浄位置に移動する力量を特に重くする事も考えられるが、操作力量が重くなり、操作性が悪くなる。
また、各管路の水切りを行う場合、送気送水切り換え弁とは別に、管路水切り用の管路切り換え弁を用意しておく方式は管路水切り用の管路切り換え弁を別に用意しておく必要があり、使用上、面倒なものであった。
【０００８】
（目的）
本発明は前記課題に着目してなされたもので、その目的とするところは通常の送気送水操作と、送気管路に水を流す場合との切換え操作との誤操作を防止できるとともに、各管路の水切りを特別な管路切り換え弁を用意する事なく簡単に行うことができる内視鏡の管路切り換え装置を提供することにある。
【０００９】
【課題を解決するための手段】
本発明は、内視鏡の送気管路と送水管路の途中に配置された送気送水シリンダと、前記送気送水シリンダに嵌挿され、送気及び送水の切り換えを制御する送気送水切り換え弁とを有し、前記送気送水シリンダに対する送気送水切り換え弁を移動することにより、それぞれ選択される、送気送水待機位置と、上流側の送水管路と下流側の送水管路を連通する送水位置と、上流側の送水管路と下流側の送気管路を連通させる送気管路洗浄位置とを備えた内視鏡の送気送水切り換え装置において、
前記送気送水切り換え弁を前記送気送水位置と前記送気管路洗浄位置とに切り換える切り換え機構を設け、前記切り換え機構は、溝とこの溝に嵌め込まれて案内され前記送気送水切り換え弁の移動を規制する突起部とを有し、前記送気管路洗浄位置を、前記送気送水待機位置に対して、前記送気送水待機位置から送水位置への前記送気送水切り換え弁の移動する方向とは異なる方向側に設けると共に、前記溝は前記送気送水待機位置から前記送水位置への前記送気送水切り換え弁の移動を規制する第１溝部と、前記送気管路洗浄待機位置に前記送気送水切り換え弁を位置させる第２溝部と、前記第１溝部と前記第２溝部とを連通して前記第１溝部と前記第２溝部の間に前記突起部を案内する第３溝部とを含む事を特徴とする。
【００１０】
【発明の実施の形態】
＜第１実施形態＞
図１〜図５を参照して、本発明の第１実施形態を説明する。
（構成）
図１中、１は内視鏡を示し、この内視鏡１は操作部２と挿入部３を備える。操作部２にはユニバーサルコード４が連結されている。挿入部３の先端には観察窓５が設けられている。観察窓５の内側には対物レンズ６を介して対向する固体撮像素子７が設置されている。対物レンズ６により固体撮像素子７上に結像した内視鏡像は固体撮像素子７により信号化される。この電気信号は内視鏡本体内に配設された信号ケーブル８を通じて、前記ユニバーサルコード４の延出先端に設けたコネクタ９にある電気コネクタ（図示しない）まで伝送される。
【００１１】
さらに、固体撮像素子７からの撮像信号は、内視鏡１とは別体の信号処理装置（図示しない）に伝送される。前記信号処理装置は前記電気コネクタに着脱自在に接続される。そして、この電気信号は信号処理装置により映像信号に変換されてＴＶモニタ（図示しない）に出力され、そのＴＶモニタに内視鏡観察映像を表示させるようになっている。
【００１２】
また、コネクタ９は光源装置（図示しない）に接続され、その光源装置からの照明光はライトガイドファイバ等の光伝達部材１０に入射し、その光伝達部材１０を通じて挿入部３の先端側まで伝送され、照明窓（図示しない）から体腔内に照射される。
【００１３】
前記挿入部３の先端にはそれぞれが観察窓５の外表面に向く一対のノズル、つまり送水ノズル１１と送気ノズル１２が設けられている。送水ノズル１１は送水管路１３に連通し、送気ノズル１２は送気管路１４に連通している。この送水管路１３と送気管路１４は内視鏡１の挿入部３、操作部２及びユニバーサルコード４に渡って挿入配置されており、それぞれがユニバーサルコード４の延出先端に設けたコネクタ９にあるそれぞれに対応した送水用口金１６と送気用口金１７に個別的に接続されている。
【００１４】
前記送水用口金１６には図１で示すように送水タンク１８が嵌着により接続される。送水タンク１８を接続したとき、送水タンク１８の液上げチューブ１９が送水管路１３に連通する。また、コネクタ９内に設けた送気管路１４から分岐して連通する分岐管路２１が送水タンク１８の送気孔２２に連通する。さらに前記送気用口金１７はコネクタ９を前記光源装置に接続したとき、その光源装置内の送気ポンプに接続される。
【００１５】
一方、前記操作部２には送水管路１３と送気管路１４との両者にそれぞれの間に介挿される管路切り換え装置２３が設けられていて、この管路切り換え装置２３により送気送水等の切り換えを行うようになっている。また、この管路切り換え装置２３は送水管路１３と送気管路１４をそれぞれ上流側管路部１３ａ，ｌ４ａと下流側管路部１３ｂ，１４ｂに分ける。
【００１６】
管路切り換え装置２３は具体的には図２で示すように構成されている。図２は送気送水待機の位置にある管路切り換え装置２３の状態を示している。そして、管路切り換え装置２３は有底筒状の送気送水用シリンダ２４を備える。このシリンダ２４には送気送水切り換え弁としてのピストン部材２５がスライド自在に嵌挿されている。前記シリンダ２４はその外端部が前記操作部２の本体ケース２ａを貫通してその本体ケース２ａに取着される。シリンダ２４はその外端部に螺合する止め部材２６により本体ケース２ａに締結されている。
【００１７】
シリンダ２４の側壁にはその底部側から開口端側にずれて上流側送水管路１３ａ、下流側送水管路１３ｂ、下流側送気管路１４ｂおよび上流側送気管路１４ａがその順序で配置されている。各管路１３ａ，１３ｂ，１４ｂ，１４ａの接続端がシリンダ２４内に開口するように接続されている。
【００１８】
また、前記ピストン部材２５は軸部材２７を備える。この軸部材２７の外端にはその頭部を形成する指当て部材２８がねじ止め取着されている。軸部材２７の外端部付近の周囲には環状部材からなるステイ２９が嵌挿されている。ステイ２９には弾性部材からなる環状の取付け部材３０が被嵌して取着され、取付け部材３０は前記止め部材２６に取着されている。なお、ステイ２９と取付け部材３０は接着等で一体的に固定されている。
【００１９】
取付け部材３０はその下端内周部分に内方へ突き出す突起部３０ａを形成している。前記止め部材２６の外周には環状溝２６ａが形成されている。そして、前記止め部材２６の環状溝２６ａに突起部３０ａを嵌め込ませて係合させることにより、ステイ２９の取付け部材３０は止め部材２６に取り付けられている。また、ステイ２９はその取付け部材３０を弾性的に変形させることにより止め部材２６から取り外せる。つまり、ステイ２９は着脱自在な構成になっている。
【００２０】
前記ピストン部材２５の軸部材２７には一端が指当て部材２８の孔部２８ａを通じて外部に開口するリーク用通気孔３１がその長手方向軸に沿って設けられている。通気孔３１の他端はシリンダ２４の内周に形成される後述する連通溝３３ｃに開口している。
【００２１】
ピストン部材２５の指当て部材２８とステイ２９との間には弾性部材、例えばコイルばねからなるばね部材３２が介在する。このため、ピストン部材２５はシリンダ２４に対して外方へ向けて弾性的に付勢される。
【００２２】
一方、図３で示すように、ステイ２９には軸部材２７を挿通する孔２９ａが設けられ、この孔２９ａの内周面には内方に突き出すステイ突起部２９ｂが設けられている。また、ピストン部材２５の軸部材２７の外周面にはクランク溝３４が設けられている。クランク溝３４には前記ステイ突起部２９ｂが嵌まり込んで係合する。図３で示すように、クランク溝３４は指当て部材２８の方向に向かって縦に伸びる第１縦溝３４ａと、シリンダ２４の底部方向に向かって縦に伸びる第２縦溝３４ｂを周方向にずらして設け、さらに第１縦溝３４ａの下端と第２縦溝３４ｂの上端が横溝３４ｃでつながって形成されている。
【００２３】
また、第１縦溝３４ａの底部は横溝３４ｃの溝部分に対して下方に若干突き出す凹部３４ｄを形成している。そして、ステイ突起部２９ｂと、これが係合するクランク溝３４により管路切り換え装置２３の作動切り換え状態の選択を規制する手段（位置決め機構）を構成している。本実施形態ではクランク溝３４を１つとしたが、それに限ることはなく複数のクランク溝を設けてもよい。
【００２４】
ピストン部材２５は前記ばね部材３２によってシリンダ２４に対して上向きに付勢されているため、図２で示すような送気送水待機位置の状態では第１縦溝３４ａの底部にある凹部３４ｄにステイ２９の突起部２９ｂが係合した状態にあり、停止している。
【００２５】
さらに、シリンダ２４内には、これに嵌挿されるピストン部材２５の軸部材２７の外周面部分との間に、その底部から頭部方向側に順次第１連通溝３３ａ、第２連通溝３３ｂ、第３連通溝３３ｃが同軸的に形成されている。第１連通溝３３ａ、第２連通溝３３ｂ、第３連通溝３３ｃは底部から頭部方向側に順次径を段階的に大きくして形成されている。
【００２６】
また、軸部材２７の外周には第１連通溝３３ａ、第２連通溝３３ｂ、第３連通溝３３ｃと、シリンダ２４の内周面とで形成される各空間を気密かつ水密的に独立させるための弾性部材からなるシール部材３５ａ，３５ｂ，３５ｃ，３５ｄが、その軸部材２７の底部側から頭部側に順次所定の間隔をあけて設けられている。第３連通溝３３ｃと第２連通溝３３ｂの間の部分は傾斜部３３ｄになっている。
【００２７】
シール部材３５ａ，３５ｂ，３５ｄはＯリング構造であるが、シール部材３５ｃは体腔内圧によって下流側送気管路１４ｂに汚物が逆流しないように形成したいわゆる逆止弁構造になっている。
【００２８】
そして、ピストン部材２５の位置に応じて各連通溝３３ａ，３３ｂ，３３ｃを切り換えることにより管路の上流側管路と下流側管路を連通させたり遮断させたりするようになっている。
【００２９】
一方、図１で示すように、前記コネクタ９内には管路部３８が設けられ、これにより送気管路１４の上流側送気管路１４ａと送水管路１３の上流側送水管路１３ａを連通させる。この管路部３８の途中には切り換え弁３９が設けられていて、その管路部３８を閉塞させる状態と開放する状態に切り換えるようになっている。この切り換え弁３９はコネクタ９の外部から切り換え操作が可能である。  ここでは切り換え弁３９をコネクタ９に設けたが、送水タンク１８の送水用口金１６の部分付近に切り換え弁３９を設けてもよい。
【００３０】
（作用）
図２および図３に示すような送気送水待機位置では通気孔３１が外部に開放している。このため、上流側送気管路１４ａを通じて送気ポンプ（図示しない）から送気された空気はシール部材３５ｃの抵抗を受け、第３溝３３ｃを通じて通気孔３１へ流れ、大気中へ放出されるのみであり、下流側送気管路１４ｂへは流れ込まない。
【００３１】
送気を行う場合には待機状態から術者が指当て部材２８の孔部２８ａに指をあて、その通気孔３１を閉塞する。すると、空気の大気中への放出が規制され、大気中への空気の放出が抑制されるため、通気孔３１内側の空気圧が高まり、シール部材３５ｃを押し開いて上流側送気管路１４ａから第３連通溝３３ｃ側に空気が流れ込み、その空気はその第３連通溝３３ｃから第２連通溝３３ｂを通って下流側送気管路１４ｂに流れ、送気ノズル１２から体腔内への送気が行われる。
【００３２】
次に、送水を行う場合には術者が指当て部２８の孔部２８ａに指を当て通気孔３１を閉塞する状態で図４に示すようにシール部材３５ｃがシリンダ２４内の第３連通溝３３ｃと第２連通溝３３ｂの間の傾斜部３３ｄに当接する位置まで、ピストン部材２５を押し込む。このとき、ステイ突起部２９ｂはクランク溝３４の第１縦溝３４ａに凹部３４ｄから離れた上方部位のところに位置する。
【００３３】
しかして、上流側送気管路１４ａはシリンダ２４とシール部材３５ｃとシール部材３５ｄおよび指により閉塞される。そうすると、送水タンク１８内の液面圧が高くなり、送水タンク１８内の水は上流側送水管路１３ａ、第１溝３３ａ、下流側送水管路１３ｂの順に流れ、その水は送水ノズル１１から観察窓５の外表面に吹き付けられる。
この後で、前記送気を行って観察窓５の外表面の空気を吹き付ければ、観察窓５に残っている水滴を除去する水切りを行うことができる。
【００３４】
次に、内視鏡１の管路を洗浄するに当たっての、特に送気管路１４の下流側送気管路１４ｂ内を洗浄する場合について説明する。
この送気管路１３内の洗浄を行う場合にはピストン部材２５の軸部材２７を、ステイ突起部２９ａが横溝３４ｃに位置してそれに係合し得る位置まで引き上げ、ついで、ステイ突起部２９ｂが横溝３４ｃに沿って移動し、そのステイ突起部２９ｂが第２縦溝３４ｂの上端位置にくるまで軸部材２７を回転させる。この操作は通常の送気位置及び送水位置への送気送水シリンダに対するピストン部材２５を操作する軸方向の向きとは異なる回転方向に移動する操作である。
【００３５】
ついで、ステイ突起部２９ｂが第２縦溝３４ｂの底部に当接するまで、軸部材２７をシリンダ２４に対して脱方向、つまり上側へ引くと、図５で示す洗浄待機状態になり、下流側送水管路１３ｂに通じる第３連通溝３３ｃ側を第２シール部材３５ｂで閉塞する。これと同時に第１シール部材３５ａは第３連通溝３３ａ内に遊嵌することにより、上流側送水管路１３ａを下流側送水管路１３ｂと下流側送気管路１４ｂに連通させる状態になる。このピストン部材２５を引き上げた状態で送気管路１４の下流側送気管路１４ｂに送水してそれの洗浄を行う。
【００３６】
つまり、上流側送気管路１４ａはシリンダ２４と第２シール部材３５ｂ、第４シール部材３５ｄ、及び指により閉塞されているため、送水タンク１８内の液圧が高くなり、上流側送水管路１３ａを通じて流れ込んだ水は第１連通溝３３ａから下流側送水管路１３ｂ及び下流側送気管路１４ｂの通路に流れ、その管路内の洗浄を行うことができる。
【００３７】
洗浄後においての各管路の水切りは図１に示すように、コネクタ９側または送水タンク１８側に設けられた切り換え弁３９を送水管路１３と送気管路１４が連通する位置に切り換える。ついで、ピストン部材２５を前記送気及び送水する状態に操作することで、送水管路１３と送気管路１４の管路内に溜まった水の排出を行うことができる。
【００３８】
（効果）
通常の送気送水操作におけるピストン部材２５の操作方向と、下流側送気管路１４ｂに送水する送気管路洗浄を行うときのピストン部材２５の切換え操作方向とが異なるため、誤りなく切換え操作を行うことができるため、検査時、送気管路に水を流すという誤操作が確実に防止できる。
【００３９】
＜第２実施形態＞
図６〜図７を参照して、本発明の第２実施形態を説明する。
（構成）
第２実施形態は管路切り換え装置２３の変形例である。前述した第１実施形態においてはピストン部材２５の軸部材２７にクランク溝３４を設けると共に、ステイ２９にはそのクランク溝３４に係合するステイ突起部２９ｂを設けることによりその管路切り換え装置２３の切り換え状態の選択規制を行う、つまり、送気管路洗浄位置に位置決めさせる位置決め機構を構成した。
【００４０】
しかし、この第２実施形態ではそのクランク溝３４とステイ突起部２９ｂを設けないで、切り換え状態の位置選択手段を構成するようにしたものである。
この第２実施形態での管路切り換え装置２３では操作部２の本体ケース２ａにシリンダ２４を固定する止め部材２６を利用して切り換え状態の位置選択手段を構成する。つまり、この止め部材２６の外周にはシリンダ２４との相対位置を決めるために第１の嵌合溝４１と、この第１の嵌合溝４１よりも指当て部２８の方向側に位置し前記第１の嵌合溝４１と略等しい形状の第２の嵌合溝４２を設ける。一方、ピストン部材２５の取付け部材３０の下端には突起部３０ａを形成し、この突起部３０ａを、第１の嵌合溝４１または第２の嵌合溝４２のいずれかに係合させるようにするものである。
【００４１】
つまり、前記送気管路洗浄位置に位置決めさせる位置決め機構が、前記送気送水シリンダ側に位置決めされ、かつ送気送水切り換え弁を送気送水シリンダに対して脱する方向にずらして配列された第１の溝と第２の溝と、送気送水切り換え弁の一部に選択した前記第１の溝と第２の溝に着脱自在に係合する係合部を設けた。このことで、シリンダ２４に対してのピストン部材２５の位置を選択規制するようにした。その他の構成は第１実施形態と同じである。
【００４２】
（作用）
図６で示す状態は第１の嵌合溝４１にピストン部材２５の突起部３０ａを嵌合係着させることにより選択された通常の送気送水の待機位置を示す。この待機状態での作用と、位置指当て部２８に指を当てリーク用通気孔３１を閉塞して行う送気作用と、さらに軸部材２７を押し込んで行う送水作用は前述した第１実施形態に同じである。
【００４３】
次に、送気管路１４の下流側送気管路１４ｂを洗浄する場合には図７で示すように、第２の嵌合溝４２にピストン部材２５の突起部３０ａを嵌合係着させることにより図７で示すようにピストン部材２５がシリンダ２４から一段突き出させる。つまり、下流側送気管路１４ｂに水を流す場合、突起部３０ａが第２の嵌合溝４２と係合する位置まで軸部材２７をシリンダ２４に対して脱方向に引き上げる。そうすると、第１実施形態に示したシリンダ２４と送気管路洗浄位置の軸部材２７との相対位置関係になる。そのときの作用は第１実施形態と同じである。
【００４４】
（効果）
この第２実施形態によれば、前述した第１実施形態よりも脱方向への操作方法が簡単である。その他の効果は第１実施形態と同じである。
【００４５】
なお、前記各実施形態ではシリンダ２４に対してピストン部材２５を脱方向に引き上げ、送気管路１４の洗浄を行う構成を示したが、本発明はそれに限ることはなく、送気、及び送水方向に管路切り換え弁２３を操作する方向と、送気管路１４の洗浄位置への管路切り換え弁２３との切り換え方向が異なっていればよく、管路切り換え弁２３を送気送水待機位置から回転させることで、送気管路１４の洗浄を可能にしてもよい。
【００４６】
＜第３実施形態＞
図８〜図１２を参照して、本発明の第３実施形態を説明する。
（構成）
この第３実施形態は前述した内視鏡１の挿入部３における先端部５０の具体例を示すものである。この先端構成部材５１には、対物レンズ系（図示しない）が配置される対物レンズ孔５２、照明レンズ系（図示しない）が挿嵌される照明レンズ孔５３、送気送水用のチューブ（図示しない）が配置される送気送水孔５４、処置具チャンネルチューブ接続用パイプ部材５６が配置されるパイプ孔５７、処置具起上部材操作用ワイヤ５９が挿通される孔６０、移動部材６１を操作するためのワイヤ６２が挿通される孔６３が設けられている。
【００４７】
一方、孔６０にはワイヤーガイド６４が固定されており、そのワイヤーガイド６４の内部には前記ワイヤ５９が挿通されている。他方の孔６３にはワイヤーガイド６５が固定されており、このワイヤーガイド６５の内部にはワイヤ６２が挿通されている。ワイヤ６２の先端部分は硬性パイプ６６で被覆されでおり、この硬性パイプ６６の先端は前記移動部材６１に取着されている。
【００４８】
前記処置具チャンネルチューブ５５を接続するパイプ部材５６は先端構成部材５１に接着等で固定されており、パイプ部材５６の基端部には処置具チャンネルチューブ５５の先端部分が接着等で固定されている。
【００４９】
処置具チャンネルチューブ５５とパイプ部材５６で形成される処置具チャンネル６７の先端側には前記処置具起上部材５８を収納する収納室６８が設けられており、この収納室６８は外部に開口している。
【００５０】
前記処置具起上部材５８は収納室６８に収納され、回転軸６９で前記先端構成部材５１に回動自在に取着されている。処置具起上部材５８にはワイヤ５９の先端が回動自在な状態で連結されており、ワイヤ５９の他端は操作部側のワイヤ進退機構（図示しない）に接続されている。
【００５１】
また、先端構成部材５１の本体は電気絶縁性を有する樹脂製の先端カバー７１で覆われている。先端カバー７１の上面一部には、処置具起上部材５８を起上させた状態で、その処置具起上部材５８に干渉しないように、また観察の妨げとならないように視野範囲Ｓを確保する開口部７２が形成されている。なお、先端カバー７１は先端構成部材５１の本体に接着等で取着固定されている。
【００５２】
一方、移動部材６１は前記先端カバー７１の外面に挿入部３の長手軸方向に沿って移動自在に挿嵌されている。移動部材６１にはこれを先端側に移動するとき、または移動したときに観察の妨げとならないよう、また処置具起上部材５８を起上させたときに処置具起上部材５８が干渉しないように観察視野側に位置して切欠き部７３を有している。移動部材６１には前記ワイヤ６２および硬性パイプ６６の先端が着脱自在に連結されており、洗浄時等は移動部材６１を内視鏡１の先端から取り外し、洗浄できるようになっている。
【００５３】
一方、ワイヤ６２の他端は操作部側に進退機構（図示しない）に接続されている。ワイヤ６２の先端側は硬性パイプ６６で被覆されでおり、硬性パイプ６６の操作部側端部は移動部材６１を先端カバー７１に対して突出させた状態においても孔６３の内部に位置する長さになっている。ワイヤ６２および硬性パイプ６６は処置具起上部材５８に干渉しないように配置されている。
【００５４】
移動部材６１の、先端カバー７１に対する回転を規制するために、先端カバー７１の外周面に凸部７５を設け、移動部材６１の外周壁にはその凸部７５が係合する細長い孔７６が挿入部３の長手方向に延びて設けられている。移動部材６１の先端カバー７１に対する突出距離はその孔７６の溝長さになる。
【００５５】
また、移動部材６１の孔７６にはその移動部材６１が先端側にどのくらい突出しているか分かるように観察視野内に指標として少なくとも１つの突起部７７が設けられている。この突起部７７は観察の妨げにならないよう、突出したとき内視鏡１の画面の隅に表示されるようになっている。また、移動部材６１を引っ込めたときと、移動部材６１を突出したときの状態が区別できるように、色が異なる突起部７７を複数設けてもよい。
【００５６】
今回、示した実施形態では移動部材６１の先端カバー７１に対する突出距離は１０ｍｍ程度となっているが、移動部材６１の先端カバー７１に対する突出距離を延ばすため、湾曲の妨げにならない程度に挿入部３における湾曲管の硬質部分まで移動部材６１を延ばしてもよい。このときにはさらに１０ｍｍ程度の突出距離を増やすことが実現できる。
【００５７】
なお、移動部材６１が突出した状態で、先端部５０の電気絶縁性は先端カバー７１によって確保される。
ワイヤ６２とそれのワイヤガイド６５は内視鏡１の操作部側でその操作部内に対して水密構造となっており、また移動部材６１が移動した状態でも水密は確保されている。
【００５８】
（作用）
図８はワイヤ６２を引くことにより先端カバー７１に対して移動部材６１を後退させた状態を示し、このとき凸部７５は孔７６の先端に当接している。図１１はワイヤ６２を押し込むことにより先端カバー７１に対して移動部材６１を前進させた状態を示す。このとき、凸部７５は孔７６の操作部側端に当接している。
【００５９】
図１２は挿入部３の先端部５０を十二指腸乳頭部付近に挿入して使用する際の位置関係を示したものである。図１２（ａ）は先端カバー７１に対して移動部材６１を後退させた状態である。ここで、ワイヤ６２を押すことで、移動部材６１を先端カバー７１に対して前方に突出させ、図１２（ｂ）に示すように突き出した先端カバー７１を十二指腸乳頭７８の下部に押し付けることで、乳頭までの距離を含め、適切な位置に内視鏡１の先端部５０の位置を固定して観察および処置を行うことができる。
【００６０】
（効果）
この実施形態によれば、移動部材６１を突き出して体腔内の体壁に当接させることで、処置具の挿入方向と、例えば乳頭の位置を一定にできるため、処置具の挿入が容易である。
【００６１】
＜変形例＞
これは前記第３実施形態の変形例であり、これを図１３および図１４を参照して説明する。
【００６２】
図１３に示すように、移動部材６１の先端壁部分と先端カバー７１の先端壁部分との間に弾性を有するバルーン部材８１を配設したものである。バルーン部材８１は先端カバー７１の先端壁に取着されている。バルーン部材７８の一部には移動部材６１に位置決めするための固定部材８２が設けられており、この固定部材８２は移動部材６１に設けた孔８３に嵌合して固定的に取着されている。
【００６３】
また、バルーン部材８１には先端カバー７１と接する部分で接続管８４が連通するように接続されている。接続管８４の先端は先端カバー７１に設けた孔８５に嵌挿されており、接続管８４の基端には可撓性チューブからなる管路部材８６の先端が接続されている。管路部材８６の他端は内視鏡１の挿入部３を通じて操作部２側に導かれ、ポンプ（図示しない）に連通するようになっている。
【００６４】
（作用）
図１４で示す初期の状態で、前記ポンプにより気体または液体を管路部材８６に送り、バルーン部材８１の内部を加圧すると、そのバルーン部材８１が膨脹して変形し、図１４で示すように移動部材６１が先端カバー７１に対して移動する。圧力を抜くと、図１３で示すバルーン部材８１の形状が初期の状態に戻るため移動部材６１が先端カバー７１に対する初期の状態に戻る。
【００６５】
（効果）
移動部材６１を移動させるのにワイヤ６２で押し引きする必要がないため、構成の簡略化が図れる。その他、第３実施形態と同じ効果を奏する。
【００６６】
＜第４実施形態＞
図１５を参照して、本発明の第４実施形態を説明する。
（構成）
この実施形態は別の側視型内視鏡１の挿入部３における先端部９０を示すものである。この先端部９０の先端構成部材９１には非金属製の先端カバー９２が嵌着され、先端カバー９２は先端構成部材９１に接着等で固定されている。また処置具起上台９３は回転軸９４によって先端構成部材９１に回動自在に接続されている。先端カバー９２にはその開口部９５の左右縁にそれぞれ位置して弾性部材からなる舌片状の突起部９６が一体的に設けられている。左右の突起部材９６は処置具起上台９３を挟んで両側に配置され、かつ観察窓（図示しない）の観察方向に延びている。突起部９６の一部が観察の妨げにならない程度であれば、観察視野内に入り込んで見えるようになっていてもよい。
【００６７】
（作用）
このような突起部９６を設ける構成により処置具を使用する場合、体壁に弾性部材からなる突起部９６を当接させ、体壁と内視鏡１の先端部９０の距離を保つようにする。
【００６８】
（効果）
内視鏡１の先端部９０の位置を定め、その位置に安定させることができるため、例えば処置具の挿入方向と、例えば乳頭の位置を一定にでき、処置具の挿入が容易である。よって、目的部位（例えば十二指腸乳頭）に容易に処置具を到達させることができる。
【００６９】
＜変形例＞
これは第４実施形態の変形例を示すものであり、図１６に示すように先端カバー９２に対して弾性部材からなる突起部材９６を取り外せるように取り付けたものであり、突起部材９６を必要としない場合にはその突起部材９６を取り外すようにしたものである。
【００７０】
すなわち、突起部材９６は一体の帯状に連結して構成され、その帯状部材９７の中間部分が先端カバー９２に先端構成部材９１の周方向に沿って設けられた取付け溝９８に嵌め込まれて係合し取着固定されている。先端カバー９２はその帯状部材９７の弾性を利用して広げることにより先端カバー９２から取り外せる着脱自在な構成になっている。
【００７１】
また、取付け溝９８の前後縁部には先端カバー９２と先端構成部材９１の間に形成される溝状の隙間９９が形成され、図１６（ｃ）で示すように帯状部材９７の前後縁部はその隙間９９内に嵌め込んで係合させられている。
【００７２】
この構成により処置具を使用する場合には突起部材９６を取り付けて使用し、体壁に突起部材９６を当接させ、体壁と内視鏡先端の距離を保つ。よって、目的部位（例えば十二指腸乳頭）に容易に処置具を到達できる。
突起部材９６を使用する必要がないときにはその突起部材９６を取り外して使用する。
【００７３】
＜第５実施形態＞
図１７ないし図１９を参照して、本発明の第５実施形態を説明する。
（構成）
この実施形態は別の側視型内視鏡１の挿入部３における先端部１００を示すものである。
【００７４】
この内視鏡１はその先端部１００に２つの処置具起上台１０１，１０２を設けるものである。各処置具起上台１０１，１０２は先端部１００の先端構成部材１０３に形成された収納室１０４内に並設され、同一の回転軸１０５に対して同軸的に枢着されている。第１の連結部材１０６の第１の処置具起上台１０１からの突出長さは第２の処置具起上台１０２の処置具挿入方向と垂直な方向の幅とほぼ等しくなっている。
【００７５】
各処置具起上台１０１，１０２の回動端部には連結部材１０６，１０７によって操作用ワイヤ１０８，１０９の先端が回動自在に連結されている。ワイヤ１０８，１０９の他端はそれぞれ操作部側に導かれてワイヤー進退機構（図示しない）に連結されている。第２の処置具起上台１０２は処置具に当接する部分の裏面側に切欠部１１１を設けている。操作用ワイヤ１０８，１０９は各処置具起上台１０１，１０２に対して同じ側から接続され、同じ側から手元側に導かれている。そして、２つの操作用ワイヤ１０８，１０９の挿通部分は第２の鉗子起上台１０２と先端カバー１１２に設けられた仕切部１１３により仕切られている。
【００７６】
ここでは各鉗子起上台１０１，１０２に１つのチャンネルを通じて導入された複数の処置具が誘導されるが、これに限らず、２つのチャンネルそれぞれを通じて個別的に誘導されるようにしてもよい。各処置具に対応して前記同様に操作可能な処置具起上台１０１，１０２を設け、各チャンネルを通じて誘導した処置具を個別に対応する処置具起上台１０１，１０２に導入させるようにしてもよい。その他は前記第３実施形態と同様な構成になっている。
【００７７】
（作用）
操作部側から操作用ワイヤ１０８を引くと、第１の処置具起上台１０１と第２の処置具起上台１０２が同時に起上し、それぞれの処置具起上台１０１，１０２に接する処置具が同時に起上される。さらに操作用ワイヤ１０９を進退させることで、第１の処置具起上台１０１に連結された連結部材１０６と当接する角度まで第１の処置具起上台１０１と第２の処置具起上台１０２との相対位置を調節させることができる。
【００７８】
また、第２の処置具起上台１０２を起上させた状態で第１の処置具起上台１０１に連結された連結部材１０６が第２の処置具起上台１０２に当接する角度まで第１の処置具起上台１０１を相対的に起伏させることができる。
つまり、第１の処置具起上台１０１と第２の処置具起上台１０２の相対位置を適宜調節することができる。
それにより図１９（ａ）に示す内視鏡画像のように、まず鉗子１１５を用いて十二指腸乳頭部１１６の付近位置に鉗子１１５を固定し、ついで図１９（ｂ）に示すように造影チューブ等の処置具１１７を十二指腸乳頭部１１６に挿入できる。
【００７９】
（効果）
この実施形態によれば、それぞれ独立した複数の処置具の操作が行え、２つの処置具を独立して所望の方向に向けることができるため、処置時間が短縮することができる。
また、２つの操作用ワイヤ１０８，１０９を同じ側に配置し、一方の操作用ワイヤ１０９の配置側の起上台１０２の裏面部分の一部を切り欠き、他方の起上台１０１を操作することで、対物レンズ系と処置具用起上台１０１，１０２の距離を離すことがなく、観察視野内における処置具の見えを損なうことがないようにコンパクトに配設することができる。
【００８０】
＜第６実施形態＞
図２０ないし図２３を参照して、本発明の第６実施形態を説明する。
（構成）
この実施形態は前記送気送水系を組み込む内視鏡において、その送気送水系以外の他の構成の変形例である。図２０はその内視鏡の全体的な構成を概略的に示すものである。
【００８１】
図２０で示すように内視鏡１２１は操作部１２２と挿入部１２３を備えてなり、前記操作部１２２にはユニバ−ザルコード１２４が連結されている。挿入部１２３の先端には観察窓１２５が設けられており、この観察窓１２５の内側には対物レンズ１２６を介して対向する固体撮像素子１２７が設置されている。対物レンズ１２６により固体撮像素子１２７上に結像した像は固体撮像素子１２７により信号化される。この信号は内視鏡本体内に配設された後述する信号ケーブル１２８を通じて前記ユニバ−ザルコード１２４の延出先端に設けたコネクタ１２９に設けられた電気コネクタ１４０まで伝送される。
【００８２】
さらに固体撮像素子１２７で撮像した電気信号は前記電気コネクタ１４０に接続される、内視鏡１２１とは別体の信号処理装置（図示しない）に伝送される。そして、この電気信号は信号処理装置により映像信号に変換されて、ＴＶモニタ（図示しない）に出力され、そのＴＶモニタに内視鏡観察映像を表示する。
【００８３】
また、コネクタ１２９には光源装置（図示しない）が接続され、その光源装置からの光はライトガイドファイバ等の光伝達部材１３０に入射し、その光伝達部材１３０によって挿入部１２３の先端側まで伝達され、照明窓（図示しない）から体腔内に照射される。
【００８４】
挿入部１２３にはその先端部１３１の向きを変えるための湾曲部１３２が設けられ、この湾曲部１３２は湾曲操作ワイヤ１３３を押し引きすることによって湾曲操作されるようになっている。湾曲操作ワイヤ１３３は挿入部１２３内を通じて前記操作部１２２内に導かれ、その操作部１２２内に設置した湾曲装置１３４のプーリ１３５に巻き付けられた牽引ワイヤ１３６の端にそれぞれ着脱自在に接続されている。
【００８５】
一方、前記信号ケーブル１２８は挿入部１２３内を通じてその挿入部１２３の先端側に配置された固体撮像素子１２７から延びる第１の信号ケーブル１４１と、ユニバ−ザルコード１２４内を通じてコネクタ１２９に設けられた電気コネクタ１４０まで延びる第２の信号ケーブル１４２からなり、第１の信号ケーブル１４１の他端たる基端と第２の信号ケーブル１４２の先端とは接続用基板１４３を介して接続される。第１の信号ケーブル１４１の基端と第２の信号ケーブル１４２の先端にはそれぞれ接続用基板１４３が接続されており、その基板１４３同志を接続することにより第１の信号ケーブル１４１と第２の信号ケーブル１４２は接続されるようになっている。
【００８６】
各信号ケーブル１４１，１４２は複数の信号線１４４を備えてなり、この内蔵された複数の信号線１４４は接続端において図２１で示すように、柔軟性のある基板１４３の上に配列されている複数の導電性基板パターン１４５に対応したものがそれぞれに接続されている。接続用基板１４３の大きさは内視鏡１２１を組み立てるときに挿入部１２３の内部への挿入が可能な大きさとなっている。
【００８７】
そして、操作部１２２の内部で基板１４３同士を熱及び圧力をかけて電気的に接続し、かつ機械的に接続している。これらの基板１４３同士の接続は熱を加えることで外すことができ、再び熱及び圧力を加えることで接続できる。また、基板１４３同士が接続された状態で、それらの基板１４３の外表面を導電性の金属網等で覆ってシールドしてもよい。
【００８８】
また、内視鏡１２１とは別体の信号処理装置（図示しない）に電気的に接続させるための電気コネクタ１４０に対しての第２の信号ケーブル１４２の他端も同様の、柔軟性のある接続用基板を有し、この基板を利用して電気コネクタ１４０側の基板に接続している。
【００８９】
前記光伝達部材１３０はコネクタ１２９内からユニバーサルコード１２４の内部を通り操作部１２２内に延びて配置される第１の光伝達部材１５１と操作部１２２内から挿入部３内を通じて先端側に導かれる第２の光伝達部材１５２とからなる。そして、第１の光伝達部材１５１と第２の光伝達部材１５２とは後述するように操作部１２２の内部付近で接続されている。光源装置（図示しない）からの光は第１の光伝達部材１５１から取り込まれ、第１の光伝達部材１５１と第２の光伝達部材１５２を通じて伝達し、挿入部３の先端側に導かれ、体腔内に照射される。
【００９０】
第１の光伝達部材１５１と第２の光伝達部材１５２としては例えばコアー・クラッドからなるガラスファイバ、プラスチックファイバ、ゴムファイバ等の繊維からなる。体腔内に入らない第１の光伝達部材１５１は第２の光伝達部材１５２より太くして伝達光量を増やす。また、曲げ耐性も第１の光伝達部材１５１の方が低くできるので、その第１の光伝達部材１５１には単ファイバや繊維径の大きいファイバが使用できる。
【００９１】
図２０に戻り、挿入部１２３の内部には観察窓１２５を洗浄するための送気送水管路（図示しない）、体腔の汚物等を吸引するための吸引管路（図示しない）が配設されており、操作部１２２内の管路切り換え部材（図示しない）に着脱自在に接続されている。また、管路切り換え部材から別の送気送水管路および吸引管路がユニバーサルコード１２４内部に配設され、コネクタ１２９に着脱自在に接続されている。さらに各管路はコネクタ１２９内の分岐管路（図示しない）によりコネクタ１２９の外部に開口している。
【００９２】
次に、第１の光伝達部材１５１と第２の光伝達部材１５２の接続構成を図２２ないし図２３に示す。
光伝達部材１５１，１５２の接続端部にはそれそれ口金１５３，１５４が設けられ、口金１５３，１５４は後述するＬＧ接続部材１６０により接続されている。口金１５３，１５４の内部にはライトガイドファイバ１５５が接着等で固定されている。さらに口金１５３，１５４にはライトガイドファイバ１５５の略全長をカバーする保護カバー１５６が接着等で固定されている。口金１５３，１５４の露出する外周上にはそれぞれに２つの突起部１５７が対向するように上下対称位置に設けられている。突起部１５７は光伝達部材１５１，１５２の長手方向に沿って長い突条部からなり、突起部１５７の突起高さは保護カバー１５６の厚さとほぼ同じ程度となっている。また突起部１５７の長手方向の各端部は角落ちさせた傾斜部１５８が設けられている。いずれの光伝達部材１５１，１５２も同様の構成となっているが、第１の光伝達部材１５１の方が第２の光伝達部材１５２よりも大きく形成されている。
【００９３】
両光伝達部材１５１，１５２はその口金１５３，１５４にわたって被嵌させるＬＧ接続部材１６０によって接続されている。ＬＧ接続部材１６０は略円筒形状の部材からなり、第２の光伝達部材１５２側端部が細径部となっている。ＬＧ接続部材１６０の両端部にはその両端からＬＧ接続部材１６０の長手方向に沿って長い２つの切欠き部１６１がそれぞれ設けられており、各端部における２つの切欠き部１６１はそれぞれ対向するように上下対称位置に設けられている。
【００９４】
切欠き部１６１にはこれに対応する口金１５３，１５４の突起部１５７が嵌め込まれて係合するようになっている。切欠き部１６１の開口縁部には突縁部１６２が形成されていて、その突縁部１６２により切欠き部１６１に嵌め込まれて係合する突起部１５７が簡単に外れ出ないようにしている。
【００９５】
ＬＧ接続部材１６０の内部には第１の光伝達部材１５１から伝達される光を効率よく第２の光伝達部材１５２側に送る込むために集光レンズ１６３が設けられ、集光レンズ１６３はＬＧ接続部材１６０に接着等で固定されている。さらに集光レンズ１６３の両側には前記口金１５３，１５４が嵌挿される穴１６４，１６５がそれぞれ設けられている。
【００９６】
（作用）
第２の光伝達部材１５２側を例として連結作用を説明する。口金１５４をＬＧ接続部材１６０の穴１６５に挿入する。突起部１５７の傾斜部１５８が切欠き部１６１の突縁部１６２に当接し、その傾斜部１５８の楔作用により、集光レンズ１６３側に押し付けられて装着され、切欠き部１６１に突起部１５７が嵌合係合してＬＧ接続部材６０と第２の光伝達部材１５２の装着が完了する。第１の光伝達部材１５１側も第２の光伝達部材１５２側と同様に接続される。
【００９７】
ここで、光をできるだけ第２の光伝達部材１５２に伝達するため、第１の光伝達部材１５１側の光伝達部材のライトガイドファイバ１５５の径は第２の光伝達部材１５２側よりも太くなっている。
また、ＬＧ接続部材１６０から第１の光伝達部材１５１および第２の光伝達部材１５２を取り外すことも可能である。
【００９８】
この内視鏡１２１を組み立てる場合、挿入部１２３側と、ユニバーサルコード１２４側をそれそれユニット化して組み立てる。そして、最終的に操作部１２２に挿入部１２３とユニバーサルコード１２４を接続し、各内蔵物の接続を操作部１２２内で行う。
【００９９】
体腔内に挿入される挿入部１２３に損傷が生じた場合等、操作部１２２、挿入部１２３を分解し、操作部１２２内で各内蔵物の接続を外す。そして新しい挿入部を操作部１２２に接続し、各内蔵物を操作部１２２内で接続する。
【０１００】
（効果）
この実施形態によれば、挿入部１２３内に内蔵される複数の内蔵物全てを操作部１２２内で着脱可能とすることで、ユニバーサルコード１２４側の分解が必要なくなり、修理性が向上する。
組立時においても、挿入部１２３側とユニバーサルコード１２４側をそれぞれユニット化できるため、組立時間の短縮が可能である。
【０１０１】
［付記］
（Ａ群）
１．内視鏡の送気管路と送水管路の途中に配置された送気送水シリンダと、前記送気送水シリンダに嵌挿され、送気および送水の切り換えを制御する送気送水切り換え弁とを有し、前記送気送水シリンダに対しての送気送水切り換え弁の位置によりそれぞれ選択される、上流側の送気管路と下流側の送気管路を連通する送気位置と、上流側の送水管路と下流側の送水管路を連通する送水位置と、上流側の送水管路と下流側の送気管路を連通させる送気管路洗浄位置とを備え、その各位置を選択するようにした内視鏡の送気送水切り換え装置において、送気位置及び送水位置への送気送水シリンダに対する送気送水切り換え弁の操作する向きと、送気管路洗浄位置への送気送水シリンダに対する送気送水切り換え弁の操作する向きが異なり、送気管路洗浄位置を誤って操作することを防止するようにしたことを特徴とする内視鏡の送気送水切り換え装置。
【０１０２】
２．付記第１項に記載の内視鏡の送気送水切り換え装置において、送気送水切り換え弁を送気送水シリンダに対して脱方向に移動させたとき、前記送気管路洗浄位置に位置決めさせる位置決め機構を設けたことを特徴とする。
【０１０３】
３．付記第１項に記載の内視鏡の送気送水切り換え装置において、前記送気管路洗浄位置に位置決めさせる位置決め機構が、前記送気送水切り換え弁の一部に設けられたガイド溝と、前記送気送水シリンダ側に位置決めされた、前記ガイド溝に係合する係合部材とを具備することを特徴とする。
【０１０４】
４．付記第１項に記載の内視鏡の送気送水切り換え装置において、前記送気管路洗浄位置に位置決めさせる位置決め機構が、前記送気送水シリンダ側に位置決めされ、送気送水切り換え弁を送気送水シリンダに対して脱する方向にずらして配列された第１の溝と第２の溝と、送気送水切り換え弁の一部に設けられ、選択した前記第１の溝と第２の溝に着脱自在に係合する係合部と具備することを特徴とする。
【０１０５】
５．付記第１項に記載の内視鏡の送気送水切り換え装置において、前記送気管路洗浄位置に位置決めさせる位置決め機構が、送気送水シリンダに対して送気送水切り換え弁を回転させることで、前記送気管路洗浄位置に位置決めされることを特徴とする。
【０１０６】
６．付記第１項に記載の内視鏡の送気送水切り換え装置において、送水タンクもしくはスコープコネクタ部に送水タンクからの送水管路を送気管路に切り替える切り換え弁を設けたことを特徴とする。
【０１０７】
（Ｂ群）
１．処置具を挿通可能な処置具チャンネルを有する細長の挿入部と、前記挿入部の先端部に設けられ、前記処置具チャンネルに連通すると共に、一部が外部に開口する収納室部と、前記収納室部に設けられ前記処置具チャンネルに挿通した処置具を起上する処置具起上部材と、前記処置具起上部材に並設された観察光学系を有した内視鏡において、前記挿入部の先端部に設けられ、前記挿入部の長手方向に移動可能な移動部材と、前記移動部材に連結する移動力伝達部材と、前記移動力伝達部材に移動力を発生させる駆動手段とを設けたことを特徴とする内視鏡。前記移動部材を体壁に押しつけ内視鏡の先端位置を一定に保つことを特徴とする。
【０１０８】
２．付記第１項に記載の内視鏡において、前記移動部材に連結されたワイヤーと、前記ワイヤーを進退させるワイヤー進退機構からなる移動手段を設けたことを特徴とする。
【０１０９】
３．付記第１項に記載の内視鏡において、前記移動部材に当接する弾性バルーンと、弾性バルーンに連通した送気または送液するための接続管路と、接続管路に加圧する加圧手段からなる移動手段を設けたことを特徴とする。
【０１１０】
４．付記第１項に記載の内視鏡において、前記移動部材の観察光学系側に観察光学及び処置具起上部材を含む幅よりも大きな切り欠き部を設けたことを特徴とする。
【０１１１】
５．付記第４項に記載の内視鏡において、前記移動部材の切り欠き部に観察光学系の視野内に一部突出する突出部を少なくとも１つ設けたことを特徴とする。６．付記第４項に記載の内視鏡において、前記移動部材の突出部が観察視野の隅にあることを特徴とする。
【０１１２】
［Ｂ群に対する従来技術と目的］
一般に、鉗子起上を有する側視の内視鏡において、十二指腸乳頭から胆管、膵管に処置具を挿入する手技が行われている。
前記手技は熟練した操作が必要であり、また症例によっては、十二指腸の形状の違いから処置具の乳頭への挿入が困難な場合があった。
処置具挿入時には乳頭を見上げる位置に内視鏡先端部を位置させる必要があり、熟練を要した。Ｂ群の事項によれば、内視鏡先端の位置決めが容易であるため、検査時間を短縮できる。また、観察光学系の観察視野を邪魔することがなく、処置具の突出状態の認識ができる。
【０１１３】
【発明の効果】
以上説明したように本発明によれば、検査時においての通常の送気送水操作を誤って送気管路に水を流す場合の切換え操作を行ってしまう誤操作を防止できる。また、各管路の水切りを特別な管路切り換え弁を用意する事なく簡単に行うことができる。
【図面の簡単な説明】
【図１】第１実施形態に係る内視鏡装置の概略的な構成を示す説明図。
【図２】第１実施形態に係る内視鏡の管路切り換え装置の待機位置の断面図。
【図３】（ａ）は第１実施形態に係る内視鏡の管路切り換え装置のピストン部材上部付近の側面図、（ｂ）は（ａ）中Ａ−Ａ線に沿う断面図。
【図４】（ａ）は第１実施形態に係る内視鏡の管路切り換え装置の送水位置の断面図、（ｂ）はその位置決め機構の状態の説明図。
【図５】（ａ）は第１実施形態に係る内視鏡の管路切り換え装置の送気管路洗浄位置の断面図、（ｂ）はその位置決め機構の状態の説明図。
【図６】第２実施形態に係る内視鏡の管路切り換え装置の待機位置の断面図。
【図７】第２実施形態に係る内視鏡の管路切り換え装置の送気管路洗浄位置の断面図。
【図８】第３実施形態に係る内視鏡の先端部の縦断面図。
【図９】図８中Ａ−Ａ線に沿う断面図。
【図１０】図８中Ｂ−Ｂ線に沿う断面図。
【図１１】第３実施形態に係る内視鏡において移動部材を前進させた状態の先端部の断面図。
【図１２】第３実施形態に係る内視鏡の使用状態の説明図。
【図１３】第３実施形態の変形例に係る内視鏡の先端部の縦断面図。
【図１４】第３実施形態の変形例に係る内視鏡において移動部材を前進させた状態の先端部の断面図。
【図１５】（ａ）は第４実施形態に係る内視鏡の先端部の側面図、（ｂ）はその内視鏡の先端部の横断面図。
【図１６】（ａ）は第４実施形態の変形例に係る内視鏡の先端部の側面図、（ｂ）はその内視鏡の先端部の横断面図、（ｃ）は（ｂ）中Ｚ−Ｚ線に沿う部分の断面図。
【図１７】第５実施形態に係る内視鏡の起上機構部の斜視図。
【図１８】第５実施形態に係る内視鏡の先端部の横断面図。
【図１９】第５実施形態に係る内視鏡の使用状態の説明図。
【図２０】第６実施形態に係る内視鏡装置の概略的な構成を示す説明図。
【図２１】（ａ）は第６実施形態に係る内視鏡装置の信号ケーブルの接続基板部の平面図、（ｂ）はその接続基板部の平面図。
【図２２】（ａ）は第６実施形態に係る内視鏡装置の光伝達部材の接続構成を示す縦断面図、（ｂ）はその平面図。
【図２３】図２２中のＡ−Ａ線に沿う部分の断面図。
【符号の説明】
１…内視鏡
２…操作部
３…挿入部
１１…送水ノズル
１２…送気ノズル
１３…送水管路
１４…送気管路
２３…管路切り換え装置
２４…送気送水用シリンダ
２５…ピストン部材
２７…軸部材
３０…取付け部材
３４…クランク溝
【図１】
0003594271.tif 000002
【図２】
0003594271.tif 000003
【図３】
0003594271.tif 000004
【図４】
0003594271.tif 000005
【図５】
0003594271.tif 000006
【図６】
0003594271.tif 000007
【図７】
0003594271.tif 000008
【図８】
0003594271.tif 000009
【図９】
0003594271.tif 000010
【図１０】
0003594271.tif 000011
【図１１】
0003594271.tif 000012
【図１２】
0003594271.tif 000013
【図１３】
0003594271.tif 000014
【図１４】
0003594271.tif 000015
【図１５】
0003594271.tif 000016
【図１６】
0003594271.tif 000017
【図１７】
0003594271.tif 000018
【図１８】
0003594271.tif 000019
【図１９】
0003594271.tif 000020
【図２０】
0003594271.tif 000021
【図２１】
0003594271.tif 000022
【図２２】
0003594271.tif 000023
【図２３】
0003594271.tif 000024